(57)【要約】【課題】飲料容器の蓋を閉める際のねじ締め不足を防止する。【解決手段】容器１、蓋２のねじ部５、８に、それぞれ２条以上の独立したねじ山９、１０を設ける。ねじ部５のねじ山９を同形で周方向等配かつ同高さに配置し、ねじ部８のねじ山１０も同様ととして、蓋２側の各ねじ山１０を容器１側のどのねじ山９に対しても螺合可能にしたことにより、蓋２側のねじ部８を最後までねじ込むための蓋２の回転量を減らした。【選択図】図１
2014097832.tif 000002
【特許請求の範囲】
【請求項１】
容器（１）が雄又は雌のねじ部（５）を有し、蓋（２）が雌又は雄のねじ部（８）を有し、蓋（２）側のねじ部（８）を容器（１）側のねじ部（５）へねじ込むことよって蓋（２）が閉まる飲料容器において、
前記容器（１）側のねじ部（５）が２条以上の独立したねじ山（９）を有し、前記蓋（２）側のねじ部（８）も前記容器（１）側のねじ部（５）と同条数の独立したねじ山（１０）を有し、前記蓋（２）側の各ねじ山（１０）を前記容器（１）側のどのねじ山（９）に対しても螺合することができることを特徴とする飲料容器。
【請求項２】
前記容器（１）側のねじ山（９）は、いずれも同形で周方向等配かつ同高さに配置され、前記蓋（２）側のねじ山（１０）は、いずれも同形で周方向等配かつ同高さに配置され、これら各ねじ山（９、１０）の周方向長さは、半周以下になっている請求項１に記載の飲料容器。
【請求項３】
蓋（２）側及び容器（１）側のうち、一方側の進退部材（２０）と他方側の係合部（２１）との引っ掛かりで前記蓋（２）の緩み回転に抵抗し、解除操作で前記進退部材（２０）を前記係合部（２１）から逃すと前記蓋（２）を緩めることができるロック機構を備え、前記進退部材（２０）が１個だけ組み込まれ、前記条数と同数の前記係合部（２１）が、前記容器（１）側のねじ山（９）の周方向配置間隔に応じて周方向に並んでいる請求項１又は２に記載の飲料容器。
【請求項４】
前記容器（１）側及び前記蓋（２）側のねじ部（５、８）のうち、少なくとも一方側のねじ山（９、１０）の圧力側フランク（１２、１３）が、前記ねじ込みを最後まで行った状態で相手側のねじ山（１０、９）と最も低い高さで接触する低所側接面部（１４、１５）のリード角を残部（１６ａ、１６ｂ、１７）よりも小さくした形状になっている請求項１から３のいずれか１項に記載の飲料容器。
【請求項５】
前記低所側接面部（１４、１５）がねじ軸線に対して直角な平面に沿っている請求項４に記載の飲料容器。
【発明の詳細な説明】
【技術分野】
【０００１】
この発明は、飲料を入れる容器と、容器の口を覆う蓋とを備えた飲料容器に関する。
【背景技術】
【０００２】
従来、この種の飲料容器として、容器が雄又は雌のねじ部を有し、蓋が雌又は雄のねじ部を有し、蓋側のねじ部を容器側のねじ部へねじ込むことよって蓋が閉まるものが広く利用されている（例えば、特許文献１）。
【先行技術文献】
【特許文献】
【０００３】
【特許文献１】特開２０１１−９７９７９号公報
【発明の概要】
【発明が解決しようとする課題】
【０００４】
しかしながら、従来の容器側と蓋側のねじ部は１条のねじ山をもつものなので、蓋を閉めるのに蓋の回転量を取る必要がある。このため、蓋を閉める際、使用者が蓋側のねじ部を最後まできっちりねじ込んだと勘違いし、携帯中に蓋が緩んで容器内の飲料が漏れる恐れがある。
【０００５】
そこで、この発明が解決しようとする課題は、飲料容器の蓋を閉める際のねじ締め不足を防止することである。
【課題を解決するための手段】
【０００６】
上記の課題を解決するため、この発明は、容器が雄又は雌のねじ部を有し、蓋が雌又は雄のねじ部を有し、蓋側のねじ部を容器側のねじ部へねじ込むことによって蓋が閉まる飲料容器において、前記容器側のねじ部が２条以上の独立したねじ山を有し、前記蓋側のねじ部も前記容器側のねじ部と同条数の独立したねじ山を有し、前記蓋側の各ねじ山を前記容器側のどのねじ山に対しても螺合することができる構成を採用した。
【０００７】
上記構成によれば、雄ねじ部と雌ねじ部が２条以上のねじ山をもち、蓋を容器に固定する際、一方の各ねじ山が他方の最寄りのねじ山に螺合するため、１条のものと比して、蓋を閉める当初、蓋側のねじ山と容器側のねじ山が滑り接触しない空回りが少なくなり、また蓋側のねじ山と容器側のねじ山を周方向に短くしても各条の総合で締結力を得ることができるので、蓋側のねじ部を最後までねじ込むための蓋の回転量を減らすことができる。
【０００８】
より具体的には、前記容器側のねじ山は、いずれも同形で周方向等配かつ同高さに配置され、前記蓋側のねじ山は、いずれも同形で周方向等配かつ同高さに配置されていると、蓋側の各ねじ山を、容器側のどのねじ山に対しても同じように螺合することができる。また、２条以上のねじ山を周方向等配しているので、蓋側のねじ部を容器側のねじ部に最後までねじ込むのに必要な蓋の回転量を半周以下にすることができる。半周以下になっていると、手首一捻りで最後までねじ込み易い。
【０００９】
また、前記蓋側及び前記容器側のうち、一方側の進退部材と他方側の係合部との引っ掛かりで前記蓋の緩み回転に抵抗し、解除操作で前記進退部材を前記係合部から逃すと前記蓋を緩めることができるロック機構を備え、前記進退部材が１個だけ組み込まれ、前記条数と同数の前記係合部が、前記容器側のねじ山の周方向配置間隔に応じて周方向に並んでいるようにしてもよい。これにより、進退部材を１個にしても、蓋を閉めると、進退部材がいずれかの係合部と緩み止めを成すことができる。ロック機構で別途に蓋の緩み回転を防止できれば、ねじ山の圧力側フランクのリード角を自由に大きく設定してねじのリード及び締結力を得ることができるので、蓋の回転量を減らし易い。
【００１０】
また、前記容器側及び前記蓋側のねじ部のうち、少なくとも一方側のねじ山の圧力側フランクが、前記ねじ込みを最後まで行った状態で相手側のねじ山と最も低い高さで接触する低所側接面部のリード角を残部よりも小さくした形状になっていることが好ましい。少なくとも一方側のねじ山の圧力側フランクが前記ねじ込みを最後まで行った状態で相手側のねじ山と最も低い高さで接触する低所側接面部のリード角を残部よりも小さくした形状をもつため、この分、ねじ山の周方向長さを延ばさずにねじ部の緩み回転を起こり難くすることができる。これを利用すれば、圧力側フランクの残部のリード角を大きく設定してリード及び締結力を得ることができるので、蓋の回転量を減らし易い。ここで、「リード角を小さくした」とは、低所側接面部がリード角をもたない場合、つまりねじ軸線に直角な平面に対してリードに寄与しない傾きをもつか、当該平面に沿っている場合を含む意味である。
【００１１】
特に、前記低所側接面部がねじ軸線に対して直角な平面に沿っていると、低所側接面部では締結力が緩み回転のトルクを生まず、ねじ込みで得られた締結力を無駄なく活かすことができる。
【００１２】
さらに前記容器側及び前記蓋側のねじ部が、それぞれ前記低所側接面部をもっていると、直角な平面に沿った面状部同士の緩み止めになるので、線状又は点状の接触とした場合よりも優れた緩み止め効果を得ることができる。
【００１３】
なお、この発明において、前記容器側及び前記蓋側のねじ部は、少なくとも一方のねじ山が締結力を得るために十分な大きなリード角及び周方向長さのフランクをもてばよく、片側のねじ山がつる巻き線に沿ったフランクをもたず、直線的な突片状にしてもよい。
【００１４】
また、前記容器側及び前記蓋側のねじ部の残部が、前記ねじ込みを最後まで行った状態で前記低所側接面部よりも大きなリード角で、かつ周方向に長い範囲で締結力を受けると、残部同士の摩擦でも緩み止め効果を得ることができる。
【発明の効果】
【００１５】
この発明は、上記構成の採用により、飲料容器の蓋を閉める際、蓋側のねじ部を最後までねじ込むための蓋の回転量を減らしたので、ねじ締め不足を防止することができる。
【図面の簡単な説明】
【００１６】
【図１】（ａ）はこの発明の第１実施形態に係る飲料容器の蓋と容器のねじ部が螺合する直前の状態を上方から示した作用図、（ｂ）は前記（ａ）を正面から描いた作用図、（ｃ）は前記（ａ）から蓋を右回りに１／６回転させた状態を上方から示した作用図、（ｄ）は前記（ｃ）を正面から描いた作用図、（ｅ）は前記（ｃ）から蓋を右回りに１／６回転させた状態を上方から示した作用図、（ｆ）は前記（ｅ）を正面から描いた作用図
【図２】この発明の第１実施形態に係る飲料容器の全体構成を示す縦断正面図
【図３】図２の容器の分解斜視図
【図４】図２の蓋の分解斜視図
【図５】図１（ｆ）の拡大図
【図６】（ａ）は図２の進退部材の全体斜視図、（ｂ）は同進退部材の背面図、（ｃ）は同進退部材の一部を切欠いた正面図、（ｄ）は同進退部材の底面図
【図７】この発明の第２実施形態に係る飲料容器の要部を示す縦断正面図
【図８】この発明の第３実施形態に係る飲料容器の要部を示す縦断正面図
【図９】この発明の第４実施形態に係る飲料容器の要部を示す縦断正面図
【図１０】この発明の第５実施形態に係る飲料容器の要部を示す縦断正面図
【図１１】（ａ）は、この発明の第６実施形態に係る飲料容器の概要をねじ込み途中の状態で示した作用図、（ｂ）は前記（ａ）から最後までねじ込んだ状態を示した作用図
【図１２】（ａ）は、この発明の第７実施形態に係る飲料容器の概要をねじ込み途中の状態で示した作用図、（ｂ）は前記（ａ）から最後までねじ込んだ状態を示した作用図
【図１３】（ａ）は、この発明の第８実施形態に係る飲料容器の概要をねじ込み途中の状態で示した作用図、（ｂ）は前記（ａ）から最後までねじ込んだ状態を示した作用図
【発明を実施するための形態】
【００１７】
以下、この発明に係る第１実施形態を添付図面に基いて説明する。図２に示すように、第１実施形態は、飲料を入れる容器１と、容器１の口を覆う蓋２と、閉めた蓋２の緩み回転を防止するロック機構とを備えている。容器１は、図２、図３に示すように、断熱容器３に肩カバー４を取り付けたものとなっている。断熱容器３として、例えば、魔法瓶、ステンレス製の真空二重容器を採用することができる。肩カバー４は、雄のねじ部５を有する。図２、図４に示すように、蓋２は、パッキン６付きの栓部７と、雌のねじ部８とを有する。図１（ａ）〜（ｆ）に蓋２（図中、二点鎖線で描いた）を閉じる回転の進行状況を示すように、蓋２側のねじ部８を容器１側のねじ部５へねじ込むことによって蓋２が閉まり、そのねじ作用で得られる締結力によって蓋２が容器１に固定される。
【００１８】
図１、図３に示すように、ねじ部５は、２条以上の独立したねじ山９、９、９を有する。図示例は、３条としている。図１、図４に示すように、ねじ部８は、ねじ部５と同じく３条の独立したねじ山１０、１０、１０を有する。図１に示すように、ねじ山９、１０は、蓋２の回転によって周方向に変位しながら相対的に滑り接触し合う突部からなり、少なくとも周方向の大部分でねじ込みに伴う滑り接触の間にねじ作用で締結力を生じ、蓋２を閉めた状態で締結力をねじ軸線に沿った方向に直接に受ける。周方向とは、ねじ軸線回りの円周方向のことをいう。ねじ部５、８は、右ねじが一般的であり、図示例もそうしている。
【００１９】
蓋２側のねじ部８を容器１側のねじ部５へ最後までねじ込んだ位置を決めるためのストッパ部１１が、ねじ山９の圧力側フランク１２に繋がっている。圧力側フランクとは、ねじ山の頂と谷底とを連絡する表面であって、ねじ込まれて荷重がかかった際、直接荷重を受ける部分のことをいう。
【００２０】
ねじ部５のねじ山９、９、９は、図１、図３に示すように、いずれも同形である。ねじ山９、９、９は、周方向等配かつ同高さに配置されている。同高さとは、ねじ軸線に沿った方向で考えた位置が同じであることをいう。図１、図４に示すように、ねじ部８のねじ山１０、１０、１０は、いずれも同形である。ねじ山１０、１０、１０も、同様に周方向等配かつ同高さに配置されている。したがって、図１に示すように蓋２を閉める際、蓋２側の各ねじ山１０を容器１側のどのねじ山９、９、９に対しても同じように螺合することができる。
【００２１】
ねじ山９は、図１、図３に示すように、容器１を周方向に３分割（条数分）した３つの領域のうち、いずれか１つの領域内に位置している。ねじ山１０、１０、１０も、図１、図４に示すように、蓋２を周方向に３分割した３つの領域のうち、いずれか１つの領域内に位置している。したがって、図１に示すように蓋２を閉める際、蓋２の空回りが１／３回転以下になるので、１条のねじ山のねじ部と比して、使用者が空回り分で多く蓋２を回したと勘違いし難くい。また、各ねじ山９、１０の周方向長さが１／３周以下になっているので、ねじ山１０がストッパ１１に突き当たるまでねじ込むのに必要な蓋２の回転量は１／３回転で済む。このため、手首一捻りで最後までねじ込み易い。
【００２２】
図１、図５に示すように、ねじ山９、１０の圧力側フランク１２、１３は、それぞれ前記ねじ込みを最後まで行った状態で相手側のねじ山（１０、９）と最も低い高さで接触する低所側接面部１４、１５のリード角を残部１６ａ、１６ｂ、１７よりも小さくした形状になっている。残部１６ａ、１６ｂ、１７は、圧力側フランク１２、１３の中で最も大きな周方向部分を占め、ねじ軸線に沿った方向にも滑り接触し、ねじ作用で締結力を生じる部分となっている。ねじ山９側の残部１６ａ、１６ｂは、圧力側フランク１２の周方向大部分を占めるリード角β１の主部１６ａと、リード角β１よりも大きなリード角β２で主部１６ａから上側の周方向先端まで連なる高所側端部１６ｂとからなる。ねじ山１０側の残部１７は、リード角β１になっている。図示例のねじ山９、１０は平行ねじなので、リード角β１、β２は、主部１６ａ、残部１７が沿うつる巻き線、高所側端部１６ｂが沿うつる巻き線と、その上の１点を通るねじ軸線に直角な平面とがなす角度に相当する。リード角β１、β２は、主部１６ａ、高所側端部１６ｂ、部分１７をそれぞれ単独のねじと仮想したときのリードをｌとし、主部１６ａ、高所側端部１６ｂ、残部１７が沿うつる巻き線上の１点におけるねじ軸線からの半径をｒとしたとき、ｔａｎβ１、β２＝ｌ／２πｒによって計算することができる。
【００２３】
リード角β１、β２は、前提にする蓋２の回転量で残部１６ａ、１６ｂ、１７によって所要の締結力が確保できるように適宜に決定すればよい。図示例では、１／３回転で確保できるようにすれば十分である。
【００２４】
低所側接面部１４、１５は、ねじ軸線に直角な平面に沿っているので、リード角β３は実質的に０°と考えられる。図中では、リード角β３を概念的に説明するため、誇張して矢示した。低所側接面部１４、１５では、締結力を法線方向に受けるので、緩み回転のトルクを生まない。この分、低所側接面部１４、１５のリード角をβ１にした場合と比して、ねじ部５、８の緩み回転を起こり難くすることできる。低所側接面部１４、１５は、ねじ山９、１０の周方向長さを変えることなく、緩み回転に対する抵抗力を単位周方向長さ当たりで残部１６ａ、１７よりも高め、これによって緩み防止効果を得られる限り、０°≦β３＜β１、β２の範囲内で適宜に決定すればよい。ロック機構を備えていても、飲料容器を他の物と一緒に鞄の中に入れて携帯していると、他の物が当たって係合解除が起こる可能性が残るので、低所側接面部１４、１５による緩み防止を併用することが好ましい。
【００２５】
β３＜β１の主部１６ａ、残部１７は、ねじ込みを最後まで行った状態で低所側接面部１４、１５よりも大きなリード角で、かつ周方向に長い範囲で締結力を受けるので、主部１６ａ、残部１７同士の摩擦も、緩み回転の防止に貢献する。
【００２６】
特に、低所側接面部１４、１５によって、容器１に熱水を入れたときの内圧上昇でねじ部５、８の緩み回転が発生しないようになっていることが好ましい。熱水とは、６５℃〜１００℃の飲料水のことをいう。熱水を入れて蓋２を閉めると、容器１の内圧が上昇し、蓋２が圧力を受けることになる。この蓋２の受圧力がねじ部５、８の緩み回転トルクを生み、これが携帯中持続することになる。低所側接面部１４、１５の緩み防止効果によって、内圧上昇に由来した緩み回転トルクを確実に上回るねじ部５、８の締結を得ているので、携帯中、蓋２が緩むことをねじ山９、１０自体で防止することができる。これにより、例えロック機構が無力化されても蓋２が緩むことを防止することができる。
【００２７】
直角な平面に沿った面状の低所側接面部１４、１５同士が締結力を受ける緩み止めになるので、低所側接面部１４又は１５を線状又は点状の低所側接面部とした場合よりも優れた緩み止め効果を得ることができる。
【００２８】
なお、ねじ山９の高所側端部１６ｂのリード角β２をリード角β１よりも大きくしたのは、蓋２を閉め始めた当初、リード角β１よりも小さいリード角β３から滑り接触が始まるため、容器１側の高所側端部１６ｂで蓋２側の低所側接面部１５の周方向突き当たりを防ぎ、ねじ山１０のねじ込みを円滑にするためである。
【００２９】
図示例の圧力側フランク１２、１３は、ねじ作用によるリードを重視するため、いずれもねじ軸線を含んだ断面形では直線になっている一般的な角ねじタイプのものを例示したが、台形ねじタイプ、三角ねじタイプ、丸ねじタイプ又はこれに近い断面曲線状等、適宜に形状を選択することができる。ねじ山９、１０の遊び側フランクは、残部１６ａ、１６ｂ、１７同士が螺合するまでねじ込みを案内するため、概ね残部１６ａ、１６ｂ、１７に沿った面形状になっている。
【００３０】
ロック機構は、図１、図２に示すように、蓋２側に１個だけ組み込まれた進退部材２０と容器１側に設けられた係合部２１との引っ掛かりで蓋２の緩み回転に抵抗し（図２中に実線で描いた進退部材２０を参照のこと）、解除操作で進退部材２０を係合部２１から逃すと（図２中に二点鎖線で描いた進退部材２０を参照のこと）、蓋２を緩めることができる機構になっている。係合部２１は、図１〜図３に示すように、肩カバー４の内周面に位置する突出部となっている。進退部材２０は、図２、図４、図６に示すように、蓋２の外部に露出したプッシュ面２３と、係合壁２４と、ばね２２を保持するばね受け部２５とをもっている。進退部材２０は、蓋２に対してばね２２で進退方向に支持されている。図示例の進退方向は、ねじ軸線に直角な方向に設定されている。係合壁２４は、蓋２を閉めるとき、最後までねじ込む前の時期に係合部２１に接触し、この際、ばね２２が圧縮されて係合壁２４が円滑に係合部２１を乗り越え（図１（ｃ）、（ｅ）も参照）、ばね２２の反発によって接触前の待ち受け位置へ復帰する。この直後にねじ山１０がストッパ１１に突き当たって、ねじ部５、８が最後までねじ込んだ状態になる。このため、容器１の内圧上昇や他の物が蓋２に引っ掛かる等、何らかの理由で蓋２が不意に緩み回転しようとすると、係合壁２４が係合部２１と蓋２の緩み回転方向に引っ掛かり、蓋２の緩み回転が防止される。プッシュ面２３を押す解除操作を行うと、ばね２２が圧縮されて進退部材２０が後退し、これにより、係合壁２４がねじ軸線に直角な方向に後退して進退部材２０が係合部２１から逃げた状態を保ち、蓋２を緩めることができる。
【００３１】
蓋２側のねじ山１０を容器１側のどのねじ山９に対しても螺合可能とし、かつ進退部材２０を１個だけにすると、蓋２を閉める度、進退部材２０の周方向位置が同じにはならない。このため、ねじ山９の条数：３と同数の係合部２１、２１、２１が、ねじ山９の周方向配置間隔に対応する間隔で周方向に並んでいる。係合部２１とねじ山９が１対１で、いずれの対でも係合部２１とねじ山９の位置関係が同じ配置になっているので、蓋２を閉め始める当初、進退部材２０の周方向位置がどこであっても、蓋２を閉めると、進退部材２０の係合壁２４がいずれかの係合部２１と緩み止めを成すことができる。
【００３２】
ロック機構で別途に蓋２の緩み回転を防止することができるので、圧力側フランク１２、１３のリード角β１、β２（図５も参照）を自由に大きく設定してねじ部５、８のリード及び締結力を得ることできるので、蓋２の回転量を減らし易い。
【００３３】
容器１、蓋２に雄ねじ部、雌ねじ部のいずれを割り当てるかは特に限定されず、ロック機構の係合部２１は、容器１の内周以外の箇所に配置してもよい。また、進退部材２０を容器１側、係合部２１を蓋２側に配置してもよい。また、両側のねじ山９、１０は、低所側接面部１４、１５と残部１６ａ、１６ｂ、１７とから構成したが、いずれか一方側のねじ山は、残部を省略し、実質的に低所側接面部のみで構成してもよい。これらの例を他の実施形態で説明する。以下、第１実施形態との相違点を述べるに留める。
【００３４】
例えば、図７に示す第２実施形態のように、容器１の肩カバー４の内周に雌のねじ部５を配置し、蓋２の栓部７の外周に雄のねじ部８を配置することができる。
【００３５】
また、図８に示す第３実施形態のように、ロック機構の係合部２１を容器１の肩カバー４の外周に配置することもできる。
【００３６】
また、図９に示す第４実施形態のように、容器１の肩カバー４の内周に雌のねじ部５を形成し、蓋２の栓部７の外周に雄のねじ部８を形成することができる。この例でも、ロック機構の係合部２１を容器１の外周に形成することができる。
【００３７】
また、図１０に示す第５実施形態のように、容器１が着脱可能な飲み口部材３１を有し、飲み口部材３１に付いたパッキン３２と容器１の内周の密着で飲み口部材３１を容器１に固定可能とし、飲み口部材３１の内周にロック機構の係合部２１を配置することができる。また、進退部材２０を飲み口部材３１と栓部７に二重構造の容器１の外容器３３に直接、ねじ部５を形成することができる。なお、この例では、ねじ部５、８が、半周を超え、１周未満のねじ山９、１０をもっている。
【００３８】
また、図１１（ａ）に示す第６実施形態のように、ねじ山９の低所側接面部１４をＲ面取状とし、ねじ山９の圧力側フランクを実質的に残部１６ａのみで構成することができる。「実質的に」とは、圧力側フランクの角ないし角の面取り部を低所側接面部１４とするという意味である。この場合、図１１（ｂ）にねじ込みを最後まで行った状態を示すように、低所側接面部１５と、Ｒ面取状の低所側接面部１４とが線接触を成して緩み止め効果を奏する。
【００３９】
また、図１２（ａ）に示す第７実施形態のように、第６実施形態からさらに変更して、ねじ山１０の圧力側フランクを実質的に低所側接面部１５のみで構成することもできる。「実質的に」とは、ねじ山１０の圧力側フランクの角ないし角の面取り部を残部とするという意味である。この場合、図１２（ｂ）にねじ込みを最後まで行った状態を示すように、低所側接面部１５と、Ｒ面取状の低所側接面部１４との線接触のみで緩み止め効果を奏する。
【００４０】
また、図１３（ａ）に示す第８実施形態のように、ねじ山９を実質的に低所側接面部１４のみで構成することができる。「実質的に」とは、ねじ山９の圧力側フランクの角ないし角の面取り部を残部とするという意味である。さらに、ねじ山１０の圧力側フランクの上側周方向端部にＲ面取状の低所側接面部１５を配置し、圧力側フランクを第６実施形態と同様、実質的に残部１７のみで構成することもできる。この場合、図１３（ｂ）にねじ込みを最後まで行った状態を示すように、低所側接面部１４と、Ｒ面取状の低所側接面部１５との線接触のみで緩み止め効果を奏する。この発明の技術的範囲は、上述の実施形態に限定されず、特許請求の範囲の記載に基く技術的思想の範囲内での全ての変更を含むものである。
【符号の説明】
【００４１】
１  容器
２  蓋
５、８  ねじ部
９、１０  ねじ山
１２、１３  圧力側フランク
１４、１５  低所側接面部
１６ａ  主部
１６ｂ  高所側端部
１７  残部
２０  進退部材
２１  係合部
２２  ばね
２３  プッシュ面
２４  係合壁
【図１】
2014097832.tif 000003
【図２】
2014097832.tif 000004
【図３】
2014097832.tif 000005
【図４】
2014097832.tif 000006
【図５】
2014097832.tif 000007
【図６】
2014097832.tif 000008
【図７】
2014097832.tif 000009
【図８】
2014097832.tif 000010
【図９】
2014097832.tif 000011
【図１０】
2014097832.tif 000012
【図１１】
2014097832.tif 000013
【図１２】
2014097832.tif 000014
【図１３】
2014097832.tif 000015